(57)【要約】整合インピーダンス間の切り換えのための装置および方法を説明する。例示的な一実施形態では、動的に変化する負荷インピーダンスの第１の所定の値を所定のソースインピーダンスに整合させ、ソースと負荷との間に単一のリアクタンス素子を追加することによって、動的に変化する負荷インピーダンスの第２の所定の値と、所定のソースインピーダンスとの整合を可能にする、位相シフトをソースと負荷との間に生じさせる。動的に変化する負荷のインピーダンスが、第１の所定の値であるか、第２の所定の値であるかを判定することによって、必要に応じて、単一のリアクタンス素子を、インピーダンス整合回路から除くか、またはこれに含め、動的に変化する負荷のインピーダンスと、所定のソースインピーダンスとを整合させることができる。
2010504042.tif 000002
【特許請求の範囲】
【請求項１】
整合インピーダンス間を切り換える電気装置であって、
前記電気装置に選択的に連結されるように構成された切り換わり素子と、
前記電気装置の出力に接続された負荷のインピーダンスが第１の所定の値であり、前記切り換わり素子が前記電気装置から切り離されたときに、前記電気装置の入力インピーダンスと、所定のソースインピーダンスとを整合させるように構成された整合ネットワークと、
前記電気装置の前記出力に接続された前記負荷の前記インピーダンスが第２の所定の値であり、前記切り換わり素子が前記電気装置に連結されたときに、前記電気装置の前記入力インピーダンスと、前記所定のソースインピーダンスとを整合させるように構成された位相シフトネットワークと、
前記第１の所定の値である前記負荷の前記インピーダンスと、前記第２の所定の値である前記負荷の前記インピーダンスとを区別するように構成されたセンサと、
制御素子であって、
前記センサが、前記負荷の前記インピーダンスが前記第１の所定の値であると判定したときに、前記切り換わり素子を前記電気装置から切り離し、
前記センサが、前記負荷の前記インピーダンスが前記第２の所定の値であると判定たときに、前記切り換わり素子を前記電気装置に連結するように構成された制御要素と、
を備える、電気装置。
【請求項２】
前記位相シフトネットワークは、前記切り換わり素子と、前記整合ネットワークとの間にある、請求項１に記載の電気装置。
【請求項３】
前記位相シフトネットワークは、前記整合ネットワークと、前記負荷との間にある、請求項１に記載の電気装置。
【請求項４】
前記位相シフトネットワークは、前記整合ネットワークと統合される、請求項１に記載の電気装置。
【請求項５】
前記整合ネットワークは、可変整合ネットワークであり、前記電気装置は、
前記電気装置の一つの入力部において入力センサをさらに備え、前記入力センサは、前記可変整合ネットワークを制御するように構成される、請求項１に記載の電気装置。
【請求項６】
前記切り換わり素子は、シャント配置である、請求項１に記載の電気装置。
【請求項７】
前記切り換わり素子は、直列配置である、請求項１に記載の電気装置。
【請求項８】
前記切り換わり素子は、コンデンサおよびインダクタのうちの１つである、請求項１に記載の電気装置。
【請求項９】
前記位相シフトネットワークは、Ｔおよびπトポロジのうちの１つを有し、前記位相シフトネットワークは、高域周波数応答および低域周波数応答のうちの１つを有する、請求項１に記載の電気装置。
【請求項１０】
前記整合ネットワークは、高域Ｔ、低域Ｔ、Ｌ整合、およびガンマ整合トポロジのうちの１つである、請求項１に記載の電気装置。
【請求項１１】
前記所定のソースインピーダンスは、５０オームの抵抗である、請求項１に記載の電気装置。
【請求項１２】
整合インピーダンス間を切り換える電気装置であって、
前記電気装置の出力に接続された負荷のインピーダンスが第１の所定の値であり、リアクタンス素子が前記電気装置から切り離されたときに、前記電気装置の入力インピーダンスと、所定のソースインピーダンスとを整合させるための手段と、
前記電気装置の前記出力に接続された前記負荷の前記インピーダンスが第２の所定の値であり、前記リアクタンス素子が前記電気装置に連結されたときに、前記電気装置の前記入力インピーダンスと、前記所定のソースインピーダンスとを整合させるための手段と、
前記第１の所定の値である前記負荷の前記インピーダンスと、前記第２の所定の値である前記負荷の前記インピーダンスとを区別するための手段と、
前記リアクタンス素子を前記電気装置に選択的に連結するための手段であって、
前記第１の所定の値である前記負荷の前記インピーダンスと、前記第２の所定の値である前記負荷の前記インピーダンスとを区別するための前記手段が、前記負荷の前記インピーダンスが前記第１の所定の値であると判定したときに、前記リアクタンス素子を前記電気装置から切り離し、
前記第１の所定の値である前記負荷の前記インピーダンスと、前記第２の所定の値である前記負荷の前記インピーダンスとを区別するための前記手段が、前記負荷の前記インピーダンスが前記第２の所定の値であると判断したときに、前記リアクタンス素子を前記電気装置に連結するように構成される、選択的に連結するための手段と、
を含む、電気装置。
【請求項１３】
電気装置であって、
所定のソースインピーダンスを有する高周波（ＲＦ）電源と、
動的に変化するインピーダンスを有する負荷と、
ＲＦ電源を前記負荷に電気的に連結するインピーダンス整合回路であって、
前記インピーダンス整合回路に選択的に連結されるように構成された切り換わり素子と、
前記負荷の前記動的に変化するインピーダンスが第１の所定の値であり、前記切り換わり素子が前記インピーダンス整合回路から切り離されたときに、前記インピーダンス整合回路の入力インピーダンスと、所定のソースインピーダンスとを整合させるように構成された整合ネットワークと、
前記負荷の前記動的に変化するインピーダンスが第２の所定の値であり、前記切り換わり素子が前記インピーダンス整合回路に連結されたときに、前記インピーダンス整合回路の前記入力インピーダンスと、前記所定のソースインピーダンスとを整合させるように構成された位相シフトネットワークと、
前記第１の所定の値である前記負荷の前記動的に変化するインピーダンスと、前記第２の所定の値である前記負荷の前記動的に変化するインピーダンスとを区別するように構成されたセンサと、
制御素子であって、
前記センサが、前記負荷の前記インピーダンスが前記第１の所定の値であると判定したときに、前記切り換わり素子を前記インピーダンス整合回路から切り離し、
前記センサが、前記負荷の前記インピーダンスが前記第２の所定の値であると判定したときに、前記切り換わり素子を前記インピーダンス整合回路に連結するように構成された制御素子と、を備えたインピーダンス整合回路と、
を備える、電気装置。
【請求項１４】
前記電気装置がスパッタリングマグネトロンであり、前記負荷がプラズマである、請求項１３に記載の電気装置。
【請求項１５】
動的に変化する負荷のインピーダンスと、ソースの所定ソースインピーダンスとを整合させるための方法であって、
前記動的に変化する負荷のインピーダンスの第１の所定の値と、前記所定のソースインピーダンスとを整合させるステップと、
前記ソースと前記負荷との間に単一のリアクタンス素子を追加することによって、前記動的に変化する負荷インピーダンスの第２の所定の値と、前記所定のソースインピーダンスとの整合を可能にする、位相シフトを前記ソースと前記負荷との間に生じさせるステップと、
を含む、方法。
【請求項１６】
前記第１の所定の値である前記動的に変化する負荷のインピーダンスと、前記第２の所定の値である前記動的に変化する負荷のインピーダンスとを区別するステップと、
前記動的に変化する前記負荷のインピーダンスが、前記第１の所定の値であるときに、前記ソースと前記負荷との間の前記単一のリアクタンス素子を、インピーダンス整合回路から除くステップと、
前記動的に変化する前記負荷のインピーダンスが、前記第２の所定の値であるときに、前記ソースと前記負荷との間の前記単一のリアクタンス素子を、インピーダンス整合回路内に含めるステップと、をさらに含む、請求項１５に記載の方法。
【請求項１７】
前記単一のリアクタンス素子は、シャント配置で追加される、請求項１５に記載の方法。
【請求項１８】
前記単一のリアクタンス素子は、直列配置で追加される、請求項１５に記載の方法。
【発明の詳細な説明】
【技術分野】
【０００１】
本発明は、電気回路内のインピーダンス整合に関する。より具体的には、これに限定するわけではないが、本発明は、整合インピーダンス間を切り換えて、動的に変化する負荷インピーダンスとソースインピーダンスとを整合させるための装置および方法に関する。
【背景技術】
【０００２】
しばしば、インピーダンス整合回路には、２つ以上の相異なる値の中で動的に変化する負荷インピーダンスと、所定のソースインピーダンスとを整合させることが求められる。このような動的に変化する負荷インピーダンスは、例えば、スパッタリングマグネトロンで生じ得る。いくつかのスパッタリングマグネトロンでは、プラズマチャンバ内のプラズマの分散を制御して、基板をターゲット材料でコーティングするために、磁場を、２つ以上の構成間で切り換える。これらの異なる磁場構成によって、負荷、すなわちプラズマ、のインピーダンスを、２つ以上の相異なる値の間で変化させる。場合によっては、負荷インピーダンスをわずか３０ｍｓの間に変化させる。
【０００３】
動的に変化する負荷インピーダンスを整合させる１つの従来の手法では、２つの可変素子（通常はコンデンサ）を含む整合ネットワークを用いる。一つの可変素子が、整合インピーダンスの大きさを制御し、もう一方は、リアクタンス成分を制御する。２つの可変素子間の「クロストーク」のため、通常は、入力測定装置が必要である。入力測定装置は、サーボモータを駆動して可変素子を調整する、アナログ回路に連結される。最近では、インピーダンス整合回路が開発されているが、これは、アナログ−デジタル（Ａ／Ｄ）変換器を使用して、入力電圧と電流、および入力電圧と電流との間の位相を測定して、整合ネットワークの実際の入力インピーダンスを計算する。これらの最近のインピーダンス整合回路では、しばしばデジタルステップモータを使用して、可変素子を調整する。残念なことに、可変素子の機械的調整は、例えば３０ｍｓ以内に生じる負荷インピーダンスの変化では適切に機能しない。
【０００４】
２つ以上の整合インピーダンス間の迅速な切り換えを必要とする用途では、ＰＩＮダイオードスイッチを使用して、整合ネットワークの構成要素を接続および遮断することができる。しかしながら、スパッタリングマグネトロンのような用途では、２つ以上の相異なる負荷インピーダンスが必ずしもスミスチャート上の軌道内にあるとは限らず、全ての相異なる負荷インピーダンスの値を整合させるタスクが複雑になるという問題が生じる。
【０００５】
したがって、整合インピーダンス間を切り換えるための、改良された装置および方法が当技術に必要なことは明らかである。
【発明の概要】
【課題を解決するための手段】
【０００６】
図示された本発明の例示的実施形態を以下に要約する。これらの、および他の実施形態は、発明を実施するための形態の項に詳述する。しかし、この課題を解決するための手段、または発明を実施するための形態に記載された形態に本発明を限定する意図は無いものと理解されたい。当業者は、特許請求の範囲に記載された本発明の精神と範囲に含まれる、多数の改良、同等物、別の構成が存在することを認識されよう。
【０００７】
本発明は、整合インピーダンス間を切り換えるための装置および方法を提供することができる。例示的一実施形態は、整合インピーダンス間を切り換える電気装置であって、電気装置に選択的に連結されるように構成された切り換わり素子と、電気装置の出力に接続された負荷のインピーダンスが第１の所定の値であり、切り換わり素子が電気装置から切り離されたときに、電気装置の入力インピーダンスと、所定のソースインピーダンスとを整合させるように構成された整合ネットワークと、電気装置の出力に接続された負荷のインピーダンスが第２の所定の値であり、切り換わり素子が電気装置に連結されたときに、電気装置の入力インピーダンスと、所定のソースインピーダンスとを整合させるように構成された位相シフトネットワークと、第１の所定の値である負荷のインピーダンスと、第２の所定の値である負荷のインピーダンスとを区別するように構成されたセンサと、制御素子であって、センサが、負荷の前記インピーダンスが第１の所定の値であると判断したときに、切り換わり素子を電気装置から切り離し、センサが、負荷のインピーダンスが第２の所定の値であると判断したときに、切り換わり素子を電気装置に連結するように構成された制御要素とを備える電気装置である。
【０００８】
別の例示的実施形態は、方法であって、動的に変化する負荷のインピーダンスの第１の所定の値と、所定のソースインピーダンスとを整合させるステップと、ソースと負荷との間に単一のリアクタンス素子を追加することによって、動的に変化する負荷のインピーダンスの第２の所定の値と、所定のソースインピーダンスとの整合を可能にする、位相シフトをソースと負荷との間に生じさせるステップとを含む方法である。これらの、および他の実施形態を本願明細書に詳述する。
【０００９】
本発明の種々の目的および利点、ならびに完全な理解は、添付図面を参照しながら、以下の発明を実施するための形態および添付の特許請求の範囲を参照することによってより容易に明らかとなろう。
【図面の簡単な説明】
【００１０】
【図１】図１は、本発明の例示的な一実施形態による、インピーダンス整合回路のブロック図である。
【図２】図２は、本発明の別の例示的な一実施形態による、インピーダンス整合回路のブロック図である。
【図３】図３は、本発明のさらに別の例示的な一実施形態による、インピーダンス整合回路のブロック図である。
【図４Ａ】図４Ａ〜４Ｃは、どのように、本発明の例示的な一実施形態を使用して、動的に変化する負荷の２つ以上の相異なる負荷インピーダンスの値と、所定のソースインピーダンスとを整合させることができるのかを示す、簡略化したスミスチャートである。
【図４Ｂ】図４Ａ〜４Ｃは、どのように、本発明の例示的な一実施形態を使用して、動的に変化する負荷の２つ以上の相異なる負荷インピーダンスの値と、所定のソースインピーダンスとを整合させることができるのかを示す、簡略化したスミスチャートである。
【図４Ｃ】図４Ａ〜４Ｃは、どのように、本発明の例示的な一実施形態を使用して、動的に変化する負荷の２つ以上の相異なる負荷インピーダンスの値と、所定のソースインピーダンスとを整合させることができるのかを示す、簡略化したスミスチャートである。
【図５】図５は、本発明の例示的な一実施形態による、インピーダンス整合回路を含む電気装置のブロック図である。
【図６】図６は、本発明の例示的な一実施形態による、動的に変化する負荷のインピーダンスと、ソースの所定のソースインピーダンスとを整合させるための方法のフローチャートである。
【図７】図７は、本発明の別の例示的な一実施形態による、動的に変化する負荷のインピーダンスと、ソースの所定のソースインピーダンスとを整合させるための方法のフローチャートである。
【図８】図８は、本発明の例示的な一実施形態に従った、インピーダンス整合回路の、シャント切り換わり素子による実現の概略図である。
【図９】図９は、本発明の例示的な一実施形態に従った、インピーダンス整合回路の、直列切り換わり素子による実現の概略図である。
【発明を実施するための形態】
【００１１】
例示的な一実施形態では、第１の所定の負荷インピーダンスの値は、所定のソースインピーダンスに整合される。位相シフトは、ソースと負荷との間に導入され、ソースと負荷との間に単一のリアクタンス素子を追加することによって、第２の所定の負荷インピーダンスと、所定のソースインピーダンスとの整合を可能にする、位相シフトをソースと負荷との間に生じさせる。第１および第２の所定の負荷インピーダンスの値は、それぞれ単一のリアクタンス素子を選択的に除くか、または含めることによって整合される。発生した第１および第２の負荷インピーダンスの値は区別され、動的に変化する負荷のインピーダンスと、所定のソースインピーダンスとを整合させる必要性に応じて、単一のリアクタンス素子を除くか、または含める。いくつかの実施形態では、単一のリアクタンス素子は、シャント配置である。他の実施形態では、単一のリアクタンス素子は、直列配置である。なお、本願明細書において、所定の負荷インピーダンスに関する「第１」および「第２」という名前は任意のものである。
【００１２】
以下、図面を参照するが、複数の図面を通じて類似した要素には同じ参照番号が付される。図１を参照すると、本発明の例示的な一実施形態によるインピーダンス整合回路１００のブロック図が示されている。インピーダンス整合回路１００は、所定のソースインピーダンスと、そのインピーダンスが２つの所定の値の間を変化する負荷（図１には示さず）とを動的に整合させる。所定のソースインピーダンスは、あらゆる値とすることができる。スパッタリングマグネトロンの用途における１つの典型的な値は、５０オームの抵抗（リアクタンス成分無し）である。
【００１３】
図１では、高周波（ＲＦ）入力１０５は、入力センサ１１０を介してンピーダンス整合回路１００に送給される。インピーダンス整合回路１００はまた、切り換わり素子１１５と、位相シフトネットワーク１２０と、整合ネットワーク１２５と、センサ１３０とを含む。センサ１３０は、信号１３５を監視して、インピーダンス整合回路１００の出力（ＲＦ出力１４０）が接続された現在の負荷状況を判断するよう構成される。
【００１４】
整合ネットワーク１２５が可変整合ネットワークである実施形態では、入力センサ１１０は、その可変整合ネットワークを制御する。固定整合ネットワークを用いた実施形態では、入力センサ１１０は除かれる。整合ネットワーク１２５は、切り換わり素子１１５がインピーダンス整合回路１００から遮断された（切り離された）ときに、２つの相異なる負荷インピーダンスの値のうちの第１の値と、ソースインピーダンスとを整合させるように構成される。このような整合ネットワークを設計するための手法は、インピーダンス整合技術において既知のものであり、本願明細書では繰り返し説明しない。整合ネットワーク１２５は、これに限定されないが、広域または低域「Ｔ」、広域または低域「π」、Ｌ整合、およびガンマ整合を含む、種々の異なるトポロジのうちのいずれかを有する。
【００１５】
位相シフトネットワーク１２０は、切り換わり素子１１５が接続された（インピーダンス整合回路１００に連結された）ときに、２つの相異なる負荷インピーダンスの値のうちの第２の値と、ソースインピーダンスとを整合させるように構成される。これは、以下に詳述する。位相シフトネットワーク１２０は、実施形態に応じて、高域または低域「Ｔ」または「π」を含む、種々の異なるトポロジのうちのいずれかを有する。
【００１６】
センサ１３０は、負荷インピーダンスの第１の値と第２の値とを区別する。例えば、スパッタリングマグネトロンの一実施形態では、センサ１３０は、プラズマチャンバ内でプラズマを分配するために使用される磁場の状態を監視する。磁場が第１の状態にあるとき、プラズマの負荷インピーダンスは、対応する第１の値を有する。磁場が第２の状態にあるとき、プラズマの負荷インピーダンスは、対応する第２の値を有する。センサ１３０の出力を使用して、切り換わり素子１１５の状態（接続または遮断）を制御する。例示的な一実施形態では、センサ１３０の出力は、切り換わり素子１１５を制御するバイアスネットワークに送給される（図１には示さず）。センサ１３０が第１の負荷インピーダンスの値を検出すると、センサ１３０の出力によって、切り換わり素子１１５はインピーダンス整合回路１００から切り離される。センサ１３０が第２の負荷インピーダンスの値を検出すると、センサ１３０の出力によって、切り換わり素子１１５はインピーダンス整合回路１００に連結される。
【００１７】
切り換わり素子１１５は、リアクタンス素子、コンデンサ、またはインダクタであり、センサ１３０の出力に従って、選択的にインピーダンス整合回路１００に連結するか、または該回路から切り離すことができる。切り換わり素子１１５は、例えば適切なバイアスネットワークによって制御されたＰＩＮダイオードを使用して、インピーダンス整合回路１００との接続および遮断を行うことができる。一実施形態では、切り換えわり素子１１５は、シャント素子である。別の実施形態では、切り換わり素子１１５は、直列素子である。
【００１８】
図２は、本発明の別の例示的な実施形態による、インピーダンス整合回路２００のブロック図である。図２に示された実施形態では、位相シフトネットワーク２２５は、整合ネットワーク２２０と、ＲＦ出力２４０が接続された負荷（図２には示さず）との間にある。
【００１９】
図３は、本発明のさらに別の例示的な実施形態による、インピーダンス整合回路３００のブロック図である。図３に示された実施形態では、位相シフトネットワークおよび整合ネットワークは統合されている（３２０を参照のこと）。
【００２０】
図４Ａ〜４Ｃは、どのように、本発明の例示的一実施形態を使用して、動的に変化する負荷の２つ以上の相異なる負荷インピーダンスの値と、所定のソースインピーダンスとを整合させることができるのかを示す、簡略化したスミスチャートである。
【００２１】
図４Ａの簡略化したスミスチャート４００では、第１の負荷インピーダンスの値４０５および第２の負荷インピーダンスの値４１０（図４Ａ内に「×」で示す）をプロットされている。円４１５は、所定のソースインピーダンス（例、５０オーム）と同じ実数部分を有する、スミスチャート４００上の全てのインピーダンスに対応する。円４１５が横軸４２５と交差する外円４２０の中心（４２７）は、ソースインピーダンスと正確に整合するインピーダンスに対応する「整合点」である。当業者は、負荷に送達される電力を最大化し、負荷からの反射を除去するには、負荷インピーダンスが、ソースインピーダンスの複素共役でなければならないことを認識されよう。ソースインピーダンスが、純粋に実数（抵抗）である場合、インピーダンス整合回路の目標は、負荷を、ソース抵抗に等しい抵抗に見せることである。
【００２２】
図４Ｂの簡略化したスミスチャート４３０では、単一の切り換わりリアクタンス素子が、インピーダンス整合回路から切り離されたときに、整合ネットワークは、第１の負荷インピーダンスの値４０５（図４Ｂ内に円で示す）をソースインピーダンスに整合させる。インピーダンス整合回路内の位相シフトネットワークはまた、単一の切り換わりリアクタンス素子をインピーダンス整合回路に連結することによって、第２の負荷インピーダンスの値４１０とソースインピーダンスとの整合を可能にする、第２の負荷インピーダンスの値４１０（図４Ｂ内に円で示す）を軌道（円４１５）上に配置する。
【００２３】
図４Ｃの簡略化したスミスチャート４４０では、単一の交換リアクタンス素子をインピーダンス整合回路に連結して、第２の負荷インピーダンス値４１０をソースインピーダンスに整合させる。
【００２４】
位相シフトネットワーク（例えば、図１、２、および３の１２０、２２５、および３２０をそれぞれ参照のこと）、および整合ネットワーク（図１、２および３の１２５、２２０、および３２０をそれぞれ参照のこと）は、例えば、Ｎｏｂｌｅ  Ｐｕｂｌｉｓｈｉｎｇが製作したＷＩＮＳＭＩＴＨのような、スミスチャート用ソフトウェアアプリケーションを用いて設計することができる。このような整合および位相シフトネットワークの設計は、一般的に、いくつかの試行錯誤を伴うが、ＷＩＮＳＭＩＴＨのような対話型グラフィカルツールがプロセスを促進する。
【００２５】
上述の種々の実施形態に示された本発明の原理は、２つを越える負荷インピーダンスの値の場合へ一般化することができる。例えば、追加の位相シフトネットワークをインピーダンス整合回路に追加して、第３の負荷インピーダンスの値と、所定のソースインピーダンスとを整合させることができる。しかしながら、このようなインピーダンス整合回路の設計は、それぞれの追加の負荷インピーダンスの値が２つを越えるので、より複雑かつ高コストになる。
【００２６】
図５は、本発明の例示的一実施形態による、インピーダンス整合回路を含む電気装置５００のブロック図である。図５では、インピーダンス整合回路５０５は、ＲＦ電源５１０を負荷５１５に連結する。一実施形態では、電気装置５００は、スパッタリングマグネトロンであり、負荷５１５は、そのインピーダンスの値が少なくとも２つの相異なる値の中で変化するプラズマである。
【００２７】
図６は、本発明の例示的一実施形態による、動的に変化する負荷のインピーダンスと、ソースの所定のソースインピーダンスとを整合させるための方法のフローチャートである。６０５で、第１の負荷インピーダンス値４０５は、上述のように、所定のソースインピーダンスと整合される。６１０で、単一のリアクタンス素子を追加することによって、第２の負荷インピーダンス値４１０と所定のソースインピーダンスとの整合を可能にする、位相シフトがソースと負荷との間に導入される。プロセスは、６１５で終了する。
【００２８】
図７は、本発明の別の例示的な実施形態による、動的に変化する負荷のインピーダンスと、ソースの所定のソースインピーダンスとを整合させるための方法のフローチャートである。図７では、プロセスは、ブロック６１０まで図６のように進行する。７０５で、第１および第２の負荷インピーダンス値を区別することによって、現在の負荷インピーダンス値を判定する。７１０で、第１の負荷インピーダンス値が存在した場合、７１５で、単一のリアクタンス素子がインピーダンス整合回路から除かれる。一方、７１０で、第２の負荷インピーダンス値が存在した場合、７２０で、単一のリアクタンス素子がインピーダンス整合回路内に含まれる。上述のように、負荷インピーダンスに関する「第１」および「第２」という名前は任意のものである。
【００２９】
図８は、本発明の例示的な一実施形態による、シャント切り換わり素子を使用したインピーダンス整合回路８００の実現形態の概略図である。インピーダンス整合回路８００は、本実施形態では、シャントコンデンサである、切り換わり素子８０５を含む。簡潔にするため、インピーダンス整合回路８００（例、ＰＩＮダイオードおよびその関連するバイアスネットワーク）の切り換わり素子８０５を接続および遮断するためのさらなる構成要素は、図８から除いてある。インピーダンス整合回路８００は、この特定の実施形態では、さらなる固定シャントコンデンサ８１０も含む。位相シフトネットワーク８１５は、２つの直列インダクタ８２０および８２５と、シャントコンデンサ８３０とで構成された、「Ｔ」トポロジを有する。整合ネットワーク８３５も、「Ｔ」トポロジを有し、２つの直列コンデンサ８４０および８４５と、シャントインダクタ８５０とで構成される。図８に示された回路は、多くの可能な実現形態のうちの１つに過ぎない。
【００３０】
図９は、本発明の例示的な一実施形態による、直列切り換わり素子を使用した、インピーダンス整合回路９００の実現形態の概略図である。インピーダンス整合回路９００は、切り換わり素子９１０と並列に固定直列インダクタ９０５を含む。切り換わり素子９１０は、本実施形態では、インダクタ９１５と、阻止コンデンサ９２０と、ＰＩＮダイオード９２５と、阻止コンデンサ９３０とを含む。ＰＩＮダイオード９２５は、共振タンク回路９３５および９４０によって制御され、それらは、入力ＲＦ周波数に同調される。共振タンク回路９３５は、スイッチ９４５と接続され、該スイッチは共振タンク回路９３５を正または負の電圧（図９では＋Ｖまたは−Ｖ）に選択的に連結して、それぞれＰＩＮダイオード９２５をオン／オフする。位相シフトネットワーク９５０は、本実施形態では、「π」トポロジを有し、直列インダクタ９５５と、シャントコンデンサ９６０および９６５とで構成される。位相シフトネットワーク９５０は、その後ろに図１および図８に示されるような好適な整合ネットワークが続き、または位相シフトネットワーク９５０は、いくつかの実施形態では、整合ネットワークを兼ねる。
【００３１】
最後に、本発明は、とりわけ整合インピーダンス間の切り換えのための装置および方法を提供する。当業者は、多数の変形および差し替えを、本発明、その使用、およびその構成において行って、本願明細書に記載された実施形態によって達成される結果と実質的に同じ結果を達成することができることを、容易に理解することができる。したがって、本発明を、開示した例示的形態に限定する意図はない。多数の変形、改良、および別の構成が、特許請求の範囲に記載される、開示した発明の範囲および趣旨に包含される。
【図１】
2010504042.tif 000003
【図２】
2010504042.tif 000004
【図３】
2010504042.tif 000005
【図４Ａ】
2010504042.tif 000006
【図４Ｂ】
2010504042.tif 000007
【図４Ｃ】
2010504042.tif 000008
【図５】
2010504042.tif 000009
【図６】
2010504042.tif 000010
【図７】
2010504042.tif 000011
【図８】
2010504042.tif 000012
【図９】
2010504042.tif 000013
【国際調査報告】
2010504042.tif 000014